(57)【要約】【課題】飲料を携帯できると共に、冷却した状態で入手可能な蓄冷材により身体を冷却することができるドリンクホルダ付タオルを提供する。【解決手段】ドリンクホルダ付タオル１を、タオル地で形成された長尺のタオル本体１０と、タオル本体１０の長さ方向の両側からドリンクボトル１００が挿脱可能な状態でタオル本体１０の長さ方向の略中央部に取付けられている矩形の帯状体１１とを具備する構成とする。また、上記構成において、帯状体１１がタオル地で形成されているものとすることができる。【選択図】図１
2017012581.tif 000002
【特許請求の範囲】
【請求項１】
タオル地で形成された長尺のタオル本体と、
該タオル本体の長さ方向の両側からドリンクボトルが挿脱可能な状態で前記タオル本体の長さ方向の略中央部に取付けられている矩形の帯状体と
を具備することを特徴とするドリンクホルダ付タオル。
【請求項２】
前記帯状体がタオル地で形成されている
ことを特徴とする請求項１に記載のドリンクホルダ付タオル。
【請求項３】
前記帯状体が着脱可能に前記タオル本体に取付けられている
ことを特徴とする請求項１または請求項２に記載のドリンクホルダ付タオル。
【請求項４】
前記タオル本体を挿脱可能な環状の留め具
を具備することを特徴とする請求項１乃至請求項３の何れか一つに記載のドリンクホルダ付タオル。
【発明の詳細な説明】
【技術分野】
【０００１】
本発明は、ドリンクホルダ付タオルに関するものである。
【背景技術】
【０００２】
夏場にウォーキングやガーデニングなど屋外で活動する際に、熱中症予防として水分を小まめに摂取することや、身体を冷却して体温を上げ過ぎないようにすることが推奨されている。
【０００３】
このため、身体を冷却する様々な道具が提案されている。特許文献１の冷却用のバンドは、バンドの長さ方向の全体に亘って設けられた保冷剤を収納することができる収納部と、収納部の両端に設けられた互いに着脱自在な止着部から構成されている。
【０００４】
上記のバンドは、冷凍した高吸水性ポリマー等の保冷剤を収納部に収納し、バンドを首筋に巻いて両端の止着部を接着することにより、首筋に保冷剤を当てた状態を保持するものである。
【０００５】
しかしながら、上記のバンドでは保冷剤を予め冷凍しておく必要がある。そして、保冷剤を冷凍するには長時間を要する。このため、冷凍した保冷剤が無い場合は、即座に使用できないという問題があった。加えて、上記のバンドを長時間使用して保冷剤の温度が上がった場合に、それ以上身体を冷却することができなかった。
【０００６】
また、上記のバンドは身体を冷却することはできるが、水分を小まめに摂取するためには、飲料を携帯する必要がある。このため、飲料を携帯するためのバッグやドリンクホルダ等を上記バンドとは別に所持しなければならず、荷物が多くなり不便に感じることがあった。
【先行技術文献】
【特許文献】
【０００７】
【特許文献１】実用新案登録第３１８１２０６号公報
【発明の概要】
【発明が解決しようとする課題】
【０００８】
そこで、本発明は、上記の実情に鑑み、飲料を携帯できると共に、冷却した状態で入手可能な蓄冷材により身体を冷却することができるドリンクホルダ付タオルの提供を、課題とするものである。
【課題を解決するための手段】
【０００９】
請求項１の発明にかかるドリンクホルダ付タオルは、
「タオル地で形成された長尺のタオル本体と、
該タオル本体の長さ方向の両側からドリンクボトルが挿脱可能な状態で前記タオル本体の長さ方向の略中央部に取付けられている矩形の帯状体とを具備する」ものである。
【００１０】
「ドリンクボトル」は、ペットボトルやアルミニウム製のボトル缶等であり、内部に飲料が収容されている容器を指す。
【００１１】
「該タオル本体の長さ方向の両側からドリンクボトルが挿脱可能な状態」は、タオル本体の長さ方向と略平行な帯状体の二辺が縫着されてタオル本体と帯状体とで形成される筒状のドリンクホルダの両端が開口している状態がある。また、二個の切込みがタオル本体の長さ方向に離れてタオル本体の短辺と略平行に形成されており、二個の切込みを覆った帯状体の四辺が縫着されてタオル本体と帯状体とで形成されるドリンクホルダの両端が開口している状態がある。
【００１２】
「長さ方向の略中央部」は、帯状体の両側のタオル本体の長さが略同一になる位置を指す。
【００１３】
本構成のドリンクホルダ付タオルは、長尺のタオル本体に帯状体が取付けられている。そして、タオル本体と帯状体とで両端が開口した筒状の空間であるドリンクホルダが形成されている。これにより、ドリンクホルダの両端からドリンクボトルを挿入して収納することができ、取り出すことができる。また、タオル本体が長尺であることにより、ドリンクホルダに収納したドリンクボトルを首筋など身体の一部に当てた状態でタオル本体を身体に巻くことができる。従って、ドリンクホルダに冷却または冷凍したドリンクボトルを収納することにより、これを蓄冷材として身体を冷却することができる。
【００１４】
冷却または冷凍したドリンクボトルは、コンビニエンスストアや自動販売機等で容易に入手することができる。このため、冷却または冷凍した蓄冷材を準備していない場合でも外出先で冷却または冷凍した飲料を購入することにより、ドリンクホルダ付タオルを使用して身体を冷却することができる。また、飲料の温度が上がってそれ以上身体を冷却することができなくなった場合でも新たに飲料を購入することにより、再度身体を冷却することができる。
【００１５】
また、ドリンクボトルに収容された飲料は飲むことができるため、小まめに水分を補給することができる。
【００１６】
更に、本構成では、タオル本体が吸水性の高いタオル地で形成されている。このため、屋外で活動した際などに汗をドリンクホルダ付タオルで拭うことができる。
【００１７】
請求項２の発明にかかるドリンクホルダ付タオルは、上記構成において、
「前記帯状体がタオル地で形成されている」ものである。
【００１８】
本構成では、タオル本体と帯状体とが共にタオル地で形成されている。これにより、帯状体を身体に向けてドリンクホルダ付タオルを首筋などに巻付けた際に、タオル地の帯状体により汗を吸取ることができる。また、ドリンクホルダに挿入したドリンクボトルに結露が生じた場合に、タオル本体と帯状体が共に吸水するため、より身体が濡れにくい。
【００１９】
請求項３の発明にかかるドリンクホルダ付タオルは、上記構成において、
「前記帯状体が着脱可能に前記タオル本体に取付けられている」ものである。
【００２０】
「着脱可能に前記タオル本体に取付けられている」帯状体としては、帯状体が線ファスナ、または面ファスナによりタオル本体に取付けられている帯状体がある。或いは、スナップボタンによりタオル本体に取付けられている帯状体がある。
【００２１】
本構成のドリンクホルダ付きタオルでは、帯状体を取外すことができる。これにより、ドリンクホルダを使用しない場合に、帯状体を取外してタオル本体を通常のタオルとして使用することができる。また、帯状体を取外して、タオル本体と帯状体の一方のみを洗浄することができる。
【００２２】
請求項４の発明にかかるドリンクホルダ付タオルは、上記構成に加え、
「前記タオル本体を挿脱可能な環状の留め具を具備する」ものである。
【００２３】
「環状の留め具」は、布製や、樹脂製、木製、或いは金属製とすることができる。また、留め具はタオル本体と別体であってもよく、タオル本体の一端側に取付けられていてもよい。
【００２４】
本構成のドリンクホルダ付タオルは、留め具を備えている。このため、例えばドリンクホルダを首筋に当てた状態でタオル本体の両端を身体の前側で留め具に挿通させることにより、ドリンクホルダ付タオルを首筋に巻付けた状態で留めることができる。
【発明の効果】
【００２５】
以上のように、本発明の効果として、飲料を携帯できると共に、冷却した状態で入手可能な蓄冷材により身体を冷却することができるドリンクホルダ付タオルを提供することができる。
【図面の簡単な説明】
【００２６】
【図１】本発明の第一実施形態であるドリンクホルダ付タオルの平面図である。
【図２】図１のドリンクホルダ付タオルの使用状態を説明する（ａ）背面から見た図、（ｂ）正面から見た図である。
【図３】本発明の第二実施形態であるドリンクホルダ付タオルの使用状態の説明する正面から見た図である。
【発明を実施するための形態】
【００２７】
以下、本発明の第一実施形態及び第二実施形態であるドリンクホルダ付タオル１，２について、図１乃至図３を用いて説明する。
【００２８】
第一実施形態のドリンクホルダ付タオル１は、タオル地で形成された長尺のタオル本体１０の長さ方向の中央部に、タオル地で形成された矩形の帯状体１１が縫着されたものである。帯状体１１は、タオル本体１０の長さ方向と平行な二辺がタオル本体１０に縫着されている。そして、タオル本体１０と帯状体１１とで両端が開口した筒状の空間であるドリンクホルダ１２が形成されている。つまり、ドリンクホルダ１２は、タオル本体１０の長さ方向の両側からドリンクボトルが挿入可能な状態になっている。
【００２９】
タオル本体１０は、幅が２００ｍｍ、長さが１１００ｍｍであり、一般にスポーツタオルと称されるものである。なお、タオル本体１０の幅は１５０ｍｍ〜４５０ｍｍとすることができ、長さは８００ｍｍ〜１３００ｍｍとすることができる。
【００３０】
タオル本体１０の一方の面は、表面の糸がループ状になったパイルになっており、他方の面は表面の糸が繊毛状になったシャーリングになっている。そして、帯状体１１はパイル側に縫着されている。ここで、パイルはシャーリングに比べて吸水性が高い。そして、シャーリングはパイルのループ状になった糸を短く切断したものであり、プリント印刷等で図柄を鮮明に印刷することができる。このため、帯状体１１側を内側にして首筋などに巻いた場合に、シャーリングが外側となり意匠性の高いものとすることができる。また、内側のパイルが汗を吸取るため着け心地の良いものとすることができる。なお、帯状体１１はシャーリング側に縫着されていてもよい。そして、タオル本体１０の両面がパイルになっていてもよく、或いは両面がシャーリングになっていてもよい。
【００３１】
矩形の帯状体１１は、幅が１４５ｍｍで長さが２００ｍｍであり、一方の面がパイルに、他方の面がシャーリングになっている。そして、帯状体１１の長辺をタオル本体１０の長辺と平行にすると共に、帯状体１１の長辺の両方を幅１５ｍｍずつ内側に折り曲げた状態でタオル本体１０の中央部に配置して、折り曲げた部分を縫着して取付けられている。つまり、帯状体１１の短辺側の両端はタオル本体１０に縫着されておらず、幅約１１５ｍｍで開口した状態になっている。このため、タオル本体１０と帯状体１１とで形成される筒状のドリンクホルダ１２の内周は約２３０ｍｍとなる。帯状体１１が矩形であることにより、二辺を縫うだけで筒状のドリンクホルダ１２を形成することができる。なお、帯状体１１は、パイルがタオル本体１０のパイルと向き合う状態で縫着されている。ドリンクホルダ１２の内側が滑りにくいパイルになっていることにより、ドリンクホルダ１２からドリンクボトル１００が抜けにくい。
【００３２】
ここで、容量が５００ｍＬのペットボトルのサイズは、通常、外周が約２１０ｍｍで高さが約２１０ｍｍである。つまり、ドリンクホルダ１２の内周と長さは５００ｍＬのペットボトルと略同一に形成されている。従って、ドリンクホルダ１２には、５００ｍＬのペットボトルを挿入して収納することができる。なお、ドリンクホルダ１２には、容量が２８０ｍＬや３５０ｍＬのペットボトルも収納することができる。これらの容量のペットボトルは５００ｍＬのペットボトルと高さが異なるものの外周については大きく異ならない。このため、容量が２８０ｍＬや３５０ｍＬのペットボトルをドリンクホルダ１２に収納しても５００ｍＬのペットボトルを収納した場合と同様に抜け落ちにくい。また、ペットボトルに限らず、アルミニウムで形成されたボトル缶等もその大きさによっては収納することができる。更に、短いドリンクボトルを複数本収納することもできる。加えて、ハンディパックと称される袋状の容器も収納することができる。
【００３３】
本実施形態のドリンクホルダ付タオル１の使用方法を説明する。ここでは、飲料を収容した３５０ｍＬ容量のペットボトル１１０を冷凍して蓄冷材として使用する。冷凍したペットボトル１１０は、ドリンクホルダ１２の開口した両端の一方から挿入して収納する。ドリンクホルダ１２の両端が共に開口していることにより、両端のどちらからでも挿入することができ、取り出すことができる。なお、冷凍したペットボトル１１０は、コンビニエンスストアなどで購入してもよい。
【００３４】
そして、図２に示すように、帯状体１１を首筋に当て、タオル本体１０の両端を身体の正面側で結ぶ。この際、ペットボトル１１０は、帯状体１１を介して首筋に当接した状態になっている。これにより、冷凍したペットボトル１１０を蓄冷材として身体を冷却することができる。
【００３５】
また、タオル本体１０が長尺であることにより、タオル本体１０を首筋など身体の一部に巻いて、ドリンクホルダ１２を介してペットボトル１１０を身体に当てた状態で保持することができる。特に、本実施形態のドリンクホルダ１２はタオル本体１０の中央部に形成されており、その両側にタオル本体１０が長く延びている。このため、ドリンクホルダ１２を身体に当てた状態でタオル本体１０の両端を結び易い。
【００３６】
タオル本体１０は、帯状体１１を身体側に向けて巻くことにより、ドリンクホルダ１２の開口した両端がタオル本体１０により塞がれるためペットボトル１１０が抜け落ちない。なお、帯状体１１を外側に向けた状態でタオル本体１０を首筋に巻くこともできる。この場合は、ドリンクホルダ付タオル１を装着した状態でドリンクホルダ１２の開口した両端の一方からペットボトル１１０を取り出すことができる。
【００３７】
また、体温で解凍された飲料は飲むことができる。これにより、小まめに水分を摂取することができる。
【００３８】
更に、タオル本体１０と帯状体１１とがタオル地で形成されていることにより、ペットボトル１１０に結露が生じても身体が濡れにくい。加えて、首筋の汗を吸取ることや、身体の正面側で結んだタオル本体１０の端の部分で額などの汗を拭うことができる。
【００３９】
ここで、帯状体１１は、着脱可能にタオル本体１０に取付けることができる。具体的には、帯状体１１の両長辺と、タオル本体１０の取付け位置に面ファスナ、または線ファスナを取付けることにより、帯状体１１をタオル本体１０に着脱可能に取付けることができる。これにより、帯状体１１を取外して、タオル本体１０を通常のタオルとして使用することができる。また、帯状体１１を取外して、タオル本体１０と帯状体１１の一方のみを洗浄することができる。
【００４０】
更に、タオル本体１０の短辺と略平行な二個の切込みを長さ方向に離してタオル本体１０に形成し、この二個の切込みを帯状体１１で覆うと共に、帯状体１１の四辺を縫着することにより、ドリンクホルダ１２を形成することもできる。つまり、二個の切込みを開口部とするタオル本体１０と帯状体１１とで筒状の空間であるドリンクホルダ１２が形成される。この場合も、二個の切込みの両方からドリンクボトルをドリンクホルダ１２に挿脱することができる。また、帯状体１１を身体に向けてタオル本体１０を身体に巻いた場合でも、その状態でドリンクボトルを挿脱することができる。このため、帯状体１１を外側に向けて身体に巻いた場合に比べてドリンクホルダ１２が目立ち難い。
【００４１】
第二実施形態のドリンクホルダ付タオル２は、タオル本体２０を挿脱可能な環状の留め具２３を備える点で第一実施形態のドリンクホルダ付タオル１と相違している。本実施形態のドリンクホルダ付タオル２の留め具２３は、内径が４０ｍｍの木製のリングである。
【００４２】
本実施形態のドリンクホルダ付タオル２は、第一実施形態のドリンクホルダ付タオル１と同様に、飲料を収容したドリンクボトルを冷凍し、ドリンクホルダ２２に挿入して蓄冷材として使用することができる。そして、図３に示すように、ドリンクホルダ２２を介してドリンクボトルを首筋に当てた状態で、タオル本体２０の両端を身体の正面側で留め具２３に挿通させて留めることができる。このように、留め具２３を備えることにより、タオル本体２０を結ばなくても身体に巻いた状態で保持することができる。このため、例えば厚手のタオル本体２０を結ぶと嵩が大きくなり、首回りの美観が損なわれる場合に、留め具２３でタオル本体２０を留めることにより、すっきりとした外観にすることができる。また、タオル本体２０が短く、結びにくい場合でも留め具２３を使用することにより、タオル本体２０を身体に巻いて留めることができる。なお、留め具２３は、木製に限らず、タオル地等の布製、樹脂製、または金属製とすることができる。また、留め具２３は、タオル本体２０の一端側に取付けられていてもよい。
【００４３】
上記のように、第一実施形態及び第二実施形態のドリンクホルダ付タオル１，２によれば、冷凍した蓄冷材が無くても、例えばコンビニエンスストアや自動販売機等で冷凍、または冷却した飲料を購入して蓄冷材として使用することができる。特に、冷凍した飲料を購入すれば長時間に亘って身体を冷却することができるため好適である。
【００４４】
また、第一実施形態及び第二実施形態のドリンクホルダ付タオル１，２は、ドリンクホルダ１２，２２にドリンクボトルを収納することができる。これにより、飲料を携帯して小まめに水分を摂取することができる。特に、冷凍した飲料を蓄冷材として使用した場合は、冷凍した飲料で身体を冷却しつつ、体温で解凍された冷たい飲料を飲むことができるため好適である。また、ドリンクホルダ１２，２２は、両端が開口しているため、どちらからでもドリンクボトルを挿入して収納することができると共に、取り出すことができる。
【００４５】
更に、第一実施形態及び第二実施形態のドリンクホルダ付タオル１，２は、タオル本体１０，２０が長尺に形成されていることにより、タオル本体１０，２０を首筋などに巻いてドリンクボトル１００を身体に当てた状態で保持することができる。
【００４６】
加えて、第二実施形態のドリンクホルダ付タオル２では、環状の留め具２３を備えていることにより、タオル本体２０の両端を留め具２３に挿通させて、結ばなくてもドリンクホルダ付タオル２を身体に巻いた状態で保持することができる。
【００４７】
また、第一実施形態及び第二実施形態のドリンクホルダ付タオル１，２は、タオル本体１０，２０と帯状体１１，２１が共に吸水性の高いタオル地で形成されている。このため、屋外で活動した際などに汗をドリンクホルダ付タオル１，２で拭うことができる。また、ドリンクボトルに結露が生じた場合にもタオル本体１０，２０と帯状体１１，２１が吸水するため、身体が濡れにくい。
【００４８】
以上、本発明について好適な実施形態を挙げて説明したが、本発明は上記の実施形態に限定されるものではなく、本発明の要旨を逸脱しない範囲において、種々の改良及び設計の変更が可能である。
【００４９】
例えば、上記では、ドリンクホルダがタオル地で形成された場合を示したが、ドリンクホルダをメッシュ素材で形成してもよい。この場合は、ドリンクホルダに収納したドリンクボトルが身体に触れるため、身体をより冷却することができる。または、ドリンクホルダをポリウレタンやポリエステルを含む伸縮性のある生地で形成してもよい。そして、ドリンクホルダの内周をペットボトル等のドリンクボトルの外周よりも小さく形成することができる。この場合は、伸縮性の生地で形成されたドリンクホルダを広げてドリンクボトルを挿入できると共に、生地の復元力によりドリンクボトルを保持して抜け落ちにくくすることができる。
【００５０】
なお、上記では、ドリンクホルダ付タオルの使い方として、身体を冷やす場合のみを説明したが、温かい飲料をドリンクホルダに収納すれば身体を温めることができる。この場合においても、温かい飲料はコンビニエンスストアや自動販売機等で購入することができるため、利便性が高い。
【符号の説明】
【００５１】
１，２  ドリンクホルダ付タオル
１０，２０  タオル本体
１１，２１  帯状体
１２，２２  ドリンクホルダ
２３  留め具
１００  ドリンクボトル
【図１】
2017012581.tif 000003
【図２】
2017012581.tif 000004
【図３】
2017012581.tif 000005